【手続補正書】
【提出日】平成17年3月16日(2005.3.16)
【手続補正１】
【補正対象書類名】特許請求の範囲
【補正対象項目名】全文
【補正方法】変更
【補正の内容】
【特許請求の範囲】
【請求項１】
下記を具備する、複数入力−複数出力（ＭＩＭＯ）通信システムにおいて、送信器装置から受信器装置にデータを送信するための方法：
受信器装置において、
複数の受信アンテナを介して複数の信号を受信する、各受信アンテナから前記受信した信号は、前記送信器装置から送信された１つ以上の信号の組合せから構成される、
前記受信した信号を処理し、データ送信のために使用される複数の送信チャネルの特性を示すチャネル状態情報（ＣＳＩ）を派生する、
前記ＣＳＩを前記送信器装置に返送する；
および送信器装置において、
前記受信器装置から前記ＣＳＩを受信する、および
前記受信したＣＳＩに基づいて前記受信器装置への送信のためにデータを処理する、
前記派生されたＣＳＩは、前記複数の送信チャネルの各々に対する信号対雑音プラス干渉（ＳＮＲ）推定値を具備し、
前記送信器装置における処理は、前記送信チャネルのためのＳＮＲ推定値に基づいて各送信チャネルのための符号化データを含む、
および各送信チャネルのための前記データは、前記送信チャネルのための前記ＳＮＲ推定値に基づいて独立して符号化され、前記符号化は、固定されたベースコードで前記送信チャネルのためのデータを符号化することを含む、および
前記送信チャネルのための前記ＳＮＲ推定値に基づいて符号化されたビットのパンクチャリングを調節する。
【請求項２】
前記送信器装置における処理はさらに、前記送信チャネルのための前記ＳＮＲ推定値に基づいて選択された変調スキームに従って各送信チャネルのための符号化されたデータを変調することをさらに含む、請求項１の方法。
【請求項３】
前記報告されたＣＳＩは前記複数の送信チャネルのための特徴づけを具備する請求項１の方法。
【請求項４】
前記報告されたＣＳＩは、前記複数の送信チャネルのための固有モードおよび固有値を示す請求項１の方法。
【請求項５】
前記送信器装置における処理は前記固有値に基づいて前記送信チャネルのためのデータを符号化することを含む、請求項４の方法。
【請求項６】
各送信チャネルのための前記データは独立して符号化される、請求項５の方法。
【請求項７】
前記送信器装置における前記処理は、さらに、前記固有値に基づいて選択された変調スキームに従って前記送信チャネルのための符号化されたデータを変調し、変調シンボルを供給することを含む、請求項５の方法。
【請求項８】
前記送信器装置における前記処理は、さらに、前記固有モードに基づいて、送信前に前記変調シンボルをあらかじめ条件付けすることを含む、請求項７の方法。
【請求項９】
前記ＣＳＩは、前記受信器装置から完全に送信される、請求項１の方法。
【請求項１０】
前記ＣＳＩは、前記受信器装置から完全に周期的に送信され、前記ＣＳＩに対する更新は完全送信間で送信される、請求項１の方法。
【請求項１１】
特定の閾値を越えるチャネル特性の変化が検出されるとき前記ＣＳＩは送信される、請求項１の方法。
【請求項１２】
前記固有モードおよび固有値を示す前記ＣＳＩは異なる更新レートで送信される、請求項４の方法。
【請求項１３】
前記ＣＳＩは、相関マトリクス反転（ＣＣＭＩ）処理に基づいて前記受信器装置において派生される、請求項１の方法。
【請求項１４】
前記受信器装置における前記ＣＣＭＩ処理は下記を含む、請求項１３の方法：
前記受信信号を処理して、受信変調シンボルを派生する；
第１のマトリクスに従って前記受信変調シンボルをフィルターし、フィルターされた変調シンボルを供給する、前記第１のマトリクスは、前記データ送信のために使用される複数の送信アンテナおよび前記複数の受信アンテナ間のチャネル特性の推定値を表す；
前記フィルターされた変調シンボルを第２のマトリクスと乗算し、送信された変調シンボルの推定値を供給する；
および
前記データ送信のために使用される複数の送信チャネルの特性を推定する。
【請求項１５】
特定の復調スキームに従って前記復調シンボル推定値を復調し、復調シンボルを供給することをさらに具備する、請求項１４の方法。
【請求項１６】
特定の復号スキームに従って、前記復調されたシンボルを復号することをさらに具備する、請求項１５の方法。
【請求項１７】
冗長な送信のために変調シンボル推定値を結合し、結合された変調シンボル推定値を供給することをさらに具備する、請求項１４の方法。
【請求項１８】
さらに下記を具備する請求項１４の方法：
前記受信変調シンボルに基づいてチャネル係数マトリクスを派生する、前記第１のマトリクスは、前記チャネル係数マトリクスから派生される。
【請求項１９】
前記チャネル係数マトリクスは、パイロットデータに対応する受信変調シンボルに基づいて派生される、請求項１８の方法。
【請求項２０】
前記第２のマトリクスは、前記第１のマトリクスに基づいて派生される逆正方マトリクスである、請求項１４の方法。
【請求項２１】
前記ＣＳＩは、バイアスされない最小平均二乗誤差（ＵＭＭＳＥ）処理に基づいて、前記受信器装置において派生される、請求項１の方法。
【請求項２２】
前記ＵＭＭＳＥ処理は下記を含む、請求項２４の方法：
受信信号を処理し、受信変調シンボルを派生する；
前記受信変調シンボルを第１のマトリクスＭと乗算し、送信された変調シンボルの推定値を供給する；
および
前記受信変調シンボルに基づいて、前記データ送信のために使用される複数の送信チャネルの特性を推定する、前記第１のマトリクスＭは、前記変調シンボル推定値と送信された変調シンボルとの間の平均二乗誤差を最小にするにように選択される。
【請求項２３】
さらに、下記を具備する請求項２２の方法：
前記変調シンボル推定値を第２のマトリクスと乗算し、前記送信された変調シンボルのバイアスされない推定値を供給する、前記送信チャネルの特性は、バイアスされない変調シンボル推定値に基づいて推定される。
【請求項２４】
前記バイアスされない変調シンボル推定値に基づいて、およびバイアスされない変調シンボル推定値と前記送信された変調シンボルとの間の平均二乗誤差を最小にするために前記第１のマトリクスＭを派生することをさらに具備する、請求項２３の方法。
【請求項２５】
前記ＭＩＭＯシステムは、直交周波数分割変調（ＯＦＤＭ）を実施する、請求項１の方法。
【請求項２６】
前記受信器装置および送信器装置の各々における前記処理は、複数の周波数サブチャネルの各々に対して実行される、請求項２５の方法。
【請求項２７】
下記を具備する複数入力複数出力（ＭＩＭＯ）通信システム：
下記を具備する受信器装置
複数の受信アンテナを経由して複数の信号を受信し、前記受信信号を処理して受信変調シンボルを供給するように構成された複数のフロントエンドプロセッサー、
前記フロントエンドプロセッサーと接続され、前記受信変調シンボルを受信して処理し、データ送信のために使用される複数の送信チャネルの特性を示すチャネル状態情報（ＣＳＩ）を派生するように構成される少なくとも１つの受信ＭＩＭＯプロセッサー、および
前記受信ＭＩＭＯプロセッサーと動作可能に接続され、前記送信器装置に返送するために前記ＣＳＩを処理するように構成された送信データプロセッサー；
そして
前記受信器装置からの１つ以上の信号を受信して処理し送信されたＣＳＩを回復するように構成された少なくとも１つの復調器を具備する送信器装置、および
前記回復されたＣＳＩに基づいて前記受信器装置に送信するためのデータを処理するように構成された送信データプロセッサー、
前記派生されたＣＳＩは、前記複数の送信チャネルの各々のための信号対雑音プラス干渉（ＳＮＲ）推定値を具備し、
前記送信器装置における処理は、前記送信チャネルのための前記ＳＮＲ推定値に基づいて各送信チャネルのためのデータを符号化することを含み、
および各送信チャネルのための前記データは、前記送信チャネルのための前記ＳＮＲ推定値に基づいて独立に符号化され、前記符号化は、固定のベースコードで前記送信チャネルのためのデータを符号化することを含み、
および符号化ビットのパンクチャリングを調節することは、前記送信チャネルのための前記ＳＮＲ推定値に基づく。
【請求項２８】
下記を具備する、複数入力複数出力（ＭＩＭＯ）通信システムにおける受信器装置：  
複数の受信アンテナを経由して複数の送信された信号を受信し、前記受信した信号を処理して受信変調シンボルを供給するように構成された複数のフロントエンドプロセッサー；
前記複数のフロントエンドプロセッサーと動作可能に接続され、第１のマトリクスに従って、前記受信した変調シンボルをフィルターし、フィルターされた変調シンボルを供給するように構成されたフィルター、前記第１のマトリクスは、前記データ送信のために使用される複数の送信アンテナと前記複数の受信アンテナとの間のチャネル特性の推定値を表す；
前記フィルターに接続され、前記フィルターされた変調シンボルを第２のマトリクスと乗算し、送信された変調シンボルの推定値を供給するように構成される乗算器；
前記乗算器に接続され、前記データ送信のために使用される複数の送信チャネルの特性を推定し、前記推定されたチャネル特性を示すチャネル状態情報（ＣＳＩ）を供給するように構成されたチャネル品質推定器；
および
前記受信器装置からの送信のために前記ＣＳＩを受信し処理するように構成された送信データプロセッサー。
【請求項２９】
さらに下記を具備する、請求項２８の受信器装置：
前記変調シンボル推定値に基づいてチャネル係数マトリクスを派生するように構成された第２の推定器、前記第１のマトリクスは、前記チャネル係数マトリクスに基づいて派生される。
【請求項３０】
前記送信チャネル特性の推定値は、信号対雑音プラス干渉（ＳＮＲ）推定値を具備する、請求項２８の受信器装置。
【請求項３１】
さらに下記を具備する、請求項２８の受信器装置：
１つ以上の復調エレメント、各復調エレメントは、特定の復調スキームに従って、変調シンボル推定値のそれぞれのストリームを受信して復調し、復調シンボルのストリームを供給するように構成される。
【請求項３２】
さらに下記を具備する、請求項３１の受信器装置：
１つ以上の復号器、各復号器は、特定の復号スキームに従って復調シンボルのストリームを復号し、復号データを供給するように構成される。